(57)【要約】  実施形態の水素供給管理装置は、再生可能エネルギーを用いて発電される電力を用いて水または炭化水素から水素を製造する少なくとも１つの水素製造設備と、前記水素製造設備により製造される水素を輸送する少なくとも１つの輸送手段と、前記輸送手段により輸送される水素を利用する少なくとも１つの水素需要設備とを含むシステムに適用される水素供給管理装置であって、少なくとも、ある地域の気象を示す気象情報と、各水素需要設備における電気もしくは熱の需要を示す情報とを用いて、翌日の各水素製造設備が製造する水素の予想製造量と、翌日の各水素需要設備が使用する水素の予想使用量とを演算する演算手段と、前記演算手段の演算結果を用いて、少なくとも、翌日の各水素製造設備が製造する水素の予想製造量と、翌日の各水素需要設備が使用する水素の予想使用量とを、表示装置の１つの画面上にまとめて表示させる表示制御手段とを具備する。
2017022135.tif 000002
【特許請求の範囲】
【請求項１】
水または炭化水素から水素を製造する少なくとも１つの水素製造設備と、前記水素製造設備により製造される水素を輸送する少なくとも１つの輸送手段と、前記輸送手段により輸送される水素を利用する少なくとも１つの水素需要設備とを含むシステムに適用される水素供給管理装置であって、
翌日の各水素製造設備が製造する水素の予想製造量と、翌日の各水素需要設備が使用する水素の予想使用量とを演算する演算手段と、
前記演算手段の演算結果を用いて、少なくとも、翌日の各水素製造設備が製造する水素の予想製造量と、翌日の各水素需要設備が使用する水素の予想使用量とを、表示装置の画面上に表示させる表示制御手段と
を具備することを特徴とする水素供給管理装置。
【請求項２】
水または炭化水素から水素を製造する少なくとも１つの水素製造設備と、前記水素製造設備により製造される水素を輸送する少なくとも１つの輸送手段と、前記輸送手段により輸送される水素を利用する少なくとも１つの水素需要設備とを含むシステムに適用される水素供給管理装置であって、
少なくとも、各水素製造設備が製造する水素の製造量と、各水素需要設備が使用する水素の使用量とを、表示装置の画面上に表示させる表示制御手段を具備することを特徴とする水素供給管理装置。
【請求項３】
前記表示制御手段は、前記画面上に、本日の各水素製造設備が製造する水素の製造量と、本日の各水素需要設備が使用する水素の使用量を、更に表示させることを特徴とする請求項１に記載の水素供給管理装置。
【請求項４】
前記表示制御手段は、前記画面上に、各水素製造設備と各水素需要設備とを繋ぐ水素の輸送経路を示す情報を、更に表示させることを特徴とする請求項１乃至３のいずれか１項に記載の水素供給管理装置。
【請求項５】
前記表示制御手段は、前記画面上に、各水素製造設備と各水素需要設備とを繋ぐ水素の輸送経路の設定もしくは変更を可能とする項目を、更に表示させることを特徴とする請求項４に記載の水素供給管理装置。
【請求項６】
前記演算手段は、少なくともある地域の気象を示す気象情報を、各水素需要設備における電気もしくは熱の需要を示す情報とを用いて、翌日の各水素製造設備が製造する水素の予想製造量と、翌日の各水素需要設備が使用する水素の予想使用量とを演算することを特徴とする請求項１記載の水素供給管理装置。
【請求項７】
水または炭化水素から水素を製造する少なくとも１つの水素製造設備と、前記水素製造設備により製造される水素を輸送する少なくとも１つの輸送手段と、前記輸送手段により輸送される水素を利用する少なくとも１つの水素需要設備とを含むシステムに適用される水素供給管理方法であって、
演算手段により、翌日の各水素製造設備が製造する水素の予想製造量と、翌日の各水素需要設備が使用する水素の予想使用量とを演算し、
表示制御手段により、前記演算手段の演算結果を用いて、少なくとも、翌日の各水素製造設備が製造する水素の予想製造量と、翌日の各水素需要設備が使用する水素の予想使用量とを、表示装置の画面上に表示させる
ことを特徴とする水素供給管理方法。
【請求項８】
水または炭化水素から水素を製造する少なくとも１つの水素製造設備と、水素を利用する少なくとも１つの水素需要設備と、前記水素製造設備により製造される水素を前記水素需要設備に供給する水素配管とを含むシステムに適用される水素供給管理装置であって、
少なくとも、各水素製造設備が製造する水素の製造量と、各水素需要設備が使用する水素の使用量とを、表示装置の画面上に表示させる表示制御手段を具備することを特徴とする水素供給管理装置。
【発明の詳細な説明】
【技術分野】
【０００１】
本発明の実施形態は、水素供給管理装置および水素供給管理方法に関する。
【背景技術】
【０００２】
近年、水素エネルギーが次世代エネルギーの一つとして注目されており、水素の製造から、輸送、利用に至る水素サプライチェーンの運営を実用化する試みがなされている。
【先行技術文献】
【特許文献】
【０００３】
【非特許文献１】“ＮＥＤＯ水素エネルギー白書”、第６章、図６−１等、［online］、平成２７年３月２０日、ＮＥＤＯ、［平成２７年８月６日検索］、インターネット＜URL:http://www.nedo.go.jp/content/100639759.pdf＞
【発明の概要】
【発明が解決しようとする課題】
【０００４】
水素サプライチェーンの運営においては、各地に散在する各水素製造設備と各水素需要設備との間の水素の需要・供給の関係をオペレータが容易に把握できるような仕組みの構築が望まれる。しかしながら、現在のところ有効な技術が提案されていない。【０００５】
本発明が解決しようとする課題は、各水素製造設備と各水素需要設備との間の水素の需要・供給の関係を容易に把握することを可能とする水素供給管理装置および水素供給管理方法を提供することにある。
【課題を解決するための手段】
【０００６】
実施形態の水素供給管理装置は、再生可能エネルギーを用いて発電される電力を用いて水または炭化水素から水素を製造する少なくとも１つの水素製造設備と、前記水素製造設備により製造される水素を輸送する少なくとも１つの輸送手段と、前記輸送手段により輸送される水素を利用する少なくとも１つの水素需要設備とを含むシステムに適用される水素供給管理装置であって、少なくとも、ある地域の気象を示す気象情報と、各水素需要設備における電気もしくは熱の需要を示す情報とを用いて、翌日の各水素製造設備が製造する水素の予想製造量と、翌日の各水素需要設備が使用する水素の予想使用量とを演算する演算手段と、前記演算手段の演算結果を用いて、少なくとも、翌日の各水素製造設備が製造する水素の予想製造量と、翌日の各水素需要設備が使用する水素の予想使用量とを、表示装置の１つの画面上にまとめて表示させる表示制御手段とを具備する。
【図面の簡単な説明】
【０００７】
【図１】図１は、一実施形態に係る水素供給システムの概略構成を示す図である。
【図２】図２は、水素供給管理装置における表示制御装置が表示装置に表示させる表示画面の一例を示す図である。
【発明を実施するための形態】
【０００８】
以下、実施の形態について、図面を参照して説明する。
【０００９】
［水素供給システムの構成］
図１は、一実施形態に係る水素供給システムの概略構成を示す図である。
【００１０】
本実施形態に係る水素供給システムは、一定の地域において、水素の製造から、貯蔵、輸送、利用に至る水素サプライチェーンの運営を実現するものであり、主な構成要素として、少なくとも１つの水素製造設備１０、少なくとも１つの輸送車両を含む輸送システム２０、少なくとも１つの水素需要設備３０、および水素供給管理装置４０を含む。ここでは、水素製造設備１０と水素需要設備３０とがそれぞれ複数あり、かつ輸送システム２０が複数の輸送車両を有する場合について例示する。但し、この例に限定されるものではない。
【００１１】
水素製造設備１０は、水力、風力、太陽光等の再生可能エネルギーを用いて発電を行い、その発電によって生成される電力を用いて、水または炭化水素から水素を製造する設備である。水素製造設備１０は、山間地や海辺などに散在するように配置されている。
【００１２】
輸送システム２０は、水素製造設備１０により製造された水素を水素需要設備３０へ輸送する輸送車両１，２，３，…を有する。輸送車両１，２，３，…は、例えば、水素を貯蔵したコンテナ、タンク等を輸送できるトレーラやカードルなどである。
【００１３】
水素需要設備３０は、輸送システム２０の輸送車両１，２，３，…により輸送される水素を受け取り、その水素から燃料電池装置により電気や熱を生成し、生成された電気や熱を利用する設備である。例えば、温水プールの設備や、酪農家の設備、燃料電池自動車などが挙げられる。
【００１４】
水素供給管理装置４０は、水素製造設備１０、輸送システム２０、および水素需要設備３０をそれぞれ制御することにより、この水素供給システムにおける水素サプライチェーンを一体として管理するものである。
【００１５】
［個々の水素製造設備１０の構成］
水素製造設備１０は、主な構成要素として、発電装置１１、水素製造装置１２、データ収集装置１３、通信装置１４、および制御装置１５を備えている。そのほか、図示しない水素貯蔵装置や蓄電池なども備えている。
【００１６】
発電装置１１は、水力発電装置、風力発電装置、あるいは太陽光発電装置などに相当し、再生可能エネルギーを用いて発電を行う。この発電装置１１の一部または全部は、水素製造設備１０の外側に設けられてもよい。
【００１７】
水素製造装置１２は、発電装置１１により生成された電力を用いて、例えば別途設けられる貯水タンクから供給される水を電気分解することにより水素を製造する。この水素製造装置１２には、製造される水素の流量［Ｎｍ３／ｈ］、容量［Ｎｍ３］、純度［％］、圧力［ｋＰａ］等をそれぞれ計測する計器類（図示せず）が備えられる。製造された水素は、図示しない水素貯蔵装置に貯蔵された後、輸送システム２０のいずれかの輸送車両によっていずれかの水素需要設備３０へ輸送される。
【００１８】
データ収集装置１３は、水素製造装置１２側の計器類により計測される水素の流量、容量、純度、圧力等のデータを、１日毎にあるいは一定時間毎に収集する。
【００１９】
通信装置１４は、水素供給管理装置４０側の通信装置４４との間で無線通信を行う。例えば、通信装置１４は、水素供給管理装置４０が必要とする各種のデータを水素供給管理装置４０へ送信したり、水素供給管理装置４０から送信されてくる指令を受信したりする機能を備えている。
【００２０】
制御装置１５は、水素製造設備１０全体の動作を司るものである。例えば、制御装置１５は、発電装置１１により生成された電力の蓄電量を制御したり、水素製造装置１２における水素の製造量や水素の貯蔵量などを制御したり、データ収集装置１３により収集された水素の流量、容量、純度、圧力等のデータを、１日毎にあるいは一定時間毎に通信装置１４経由で水素供給管理装置４０へ送信したり、水素供給管理装置４０から送信されてくる指令を通信装置１４経由で取得して、当該指令に応じた処理を実施したりする。
【００２１】
［輸送システム２０の構成］
輸送システム２０（もしくは輸送車両１，２，３，…）にも図示しない通信装置や制御装置が備えられる。
【００２２】
輸送システム２０の通信装置は、水素供給管理装置４０側の通信装置４４との間で無線通信を行う。例えば、通信装置１４は、水素供給管理装置４０が必要とする各種のデータを水素供給管理装置４０へ送信したり、水素供給管理装置４０から送信されてくる指令を受信したりする機能を備えている。
【００２３】
輸送システム２０の制御装置は、輸送システム２０全体の動作を司るものである。例えば、輸送システム２０の制御装置は、輸送車両毎の各種の情報（水素供給元の水素製造設備１０を示す識別情報、水素供給先の水素需要設備３０を示す識別情報、輸送した水素の量、走行距離など）を、１日毎にあるいは一定時間毎に、通信装置経由で水素供給管理装置４０へ送信したり、水素供給管理装置４０から送信されてくる指令を通信装置経由で取得して、当該指令に応じた処理を実施したりする。
【００２４】
［個々の水素需要設備３０の構成］
水素需要設備３０は、主な構成要素として、燃料電池装置３１、負荷３２、データ収集装置３３、通信装置３４、および制御装置３５を備えている。
【００２５】
燃料電池装置３１は、輸送システム２０のいずれかの輸送車両から輸送されてくる水素を用いて発電し、電力および熱の生成を行う。この燃料電池装置３１には、使用される水素の流量［Ｎｍ３／ｈ］、容量［Ｎｍ３］、純度［％］、圧力［ｋＰａ］等をそれぞれ計測する計器類（図示せず）が備えられる。
【００２６】
負荷３２は、燃料電池装置３１により生成される電力もしくは熱を消費する電力負荷もしくは熱負荷に相当するものである。この負荷３２には、消費される電力や熱の量をそれぞれ計測する計器類（図示せず）が備えられる。
【００２７】
データ収集装置３３は、燃料電池装置３１側の計器類により計測される水素の流量、容量、純度、圧力等のデータや、負荷３２側の計器類により計測される電力量や熱量等のデータ、もしくは負荷３２が必要とする電気および熱の需要量を示すデータを、１日毎にあるいは一定時間毎に収集する。
【００２８】
通信装置３４は、水素供給管理装置４０側の通信装置４４との間で無線通信を行う。例えば、通信装置３４は、水素供給管理装置４０が必要とする各種のデータを水素供給管理装置４０へ送信したり、水素供給管理装置４０から送信されてくる指令を受信したりする機能を備えている。
【００２９】
制御装置３５は、水素需要設備３０全体の動作を司るものである。例えば、制御装置３５は、燃料電池装置３１の動作を制御したり、データ収集装置１３により収集された水素の流量、容量、純度、圧力等のデータや、消費された電力量や熱量等のデータ、もしくは負荷３２が必要とする電気および熱の需要量を示すデータを、１日毎にあるいは一定時間毎に通信装置１４経由で水素供給管理装置４０へ送信したり、水素供給管理装置４０から送信されてくる指令を通信装置１４経由で取得して、当該指令に応じた処理を実施したりする機能を備えている。
【００３０】
［水素供給管理装置４０の構成］
水素供給管理装置４０は、主な構成要素として、演算装置４１、表示装置４２、表示制御装置４３、通信装置４４、および制御装置４５を備えている。
【００３１】
演算装置４１は、制御装置４５の制御のもと、通信装置４４を通じて取得される個々の情報（個々の水素製造設備１０から送信されてくる情報、輸送システム２０から送信されてくる情報、個々の水素需要設備３０から送信されてくる情報、および気象予報機関から送信されてくる気象情報）を用いて、各種の演算を行う。
【００３２】
例えば、演算装置４１は、少なくとも、ある地域の気象を示す気象情報（所定の地域における気温、湿度、降水量、風況、日射量など）と、各水素需要設備における電気もしくは熱の需要を示す情報とを用いて、翌日の各水素製造設備が製造する水素の予想製造量と、翌日の各水素需要設備が使用する水素の予想使用量とを演算する機能を備えている。
【００３３】
また、演算装置４１は、その演算結果から、所定のアルゴリズムを用いて、翌日の各水素製造設備と各水素需要設備との間の水素の輸送経路（輸送車両毎に、水素供給元の水素製造設備１０を示す識別情報、および水素供給先の水素需要設備３０を示す識別情報、ならびに水素の輸送量）を決定する機能をさらに備えている。上記アルゴリズムは、水素の輸送経路を決定するに際し、水素サプライチェーン全体として一定以上の未使用の水素が生じず、かつ、一定以上の水素の不足が生じないようする。また、個々の輸送車両が輸送する水素の量が所定の下限値と上限値の間に収まるようにし、かつ、個々の輸送車両の走行する距離が所定値を超えないようにする。
【００３４】
表示装置４２は、例えばタッチパネル付のタブレット端末のように情報の画面表示および入力操作が可能な装置である。
【００３５】
表示制御装置４３は、制御装置４５の制御のもと、表示装置４２の表示画面に例えば図２に示すような情報を表示させる。
【００３６】
例えば、表示制御装置４３は、演算装置４１の演算結果を用いて、少なくとも、翌日の各水素製造設備が製造する水素の予想製造量と、翌日の各水素需要設備が使用する水素の予想使用量とを、表示装置４２の１つの画面上にまとめて表示させる機能を備えている。
【００３７】
また、表示制御装置４３は、前記画面上に、本日の各水素製造設備が製造する水素の製造量と、本日の各水素需要設備が使用する水素の使用量を、更に表示させる機能を備えている。
【００３８】
また、表示制御装置４３は、前記画面上に、各水素製造設備が使用する再生可能エネルギーの種別を示す情報を、更に表示させる機能を備えている。
【００３９】
また、表示制御装置４３は、前記画面上に、各水素製造設備と各水素需要設備とを繋ぐ本日および／または翌日の水素の輸送経路を示す情報を前記画面上に表示させたり、当該輸送経路の設定もしくは変更を可能とする項目を前記画面上に表示させたりする機能を備えている。
【００４０】
通信装置４４は、水素製造設備１０側の通信装置１４、水素需要設備３０側の通信装置３４、および輸送システム２０側の通信装置との間で無線通信を行う。例えば、通信装置４４は、個々の水素製造設備１０から送信されてくる情報、個々の水素需要設備３０から送信されてくる情報、気象予報機関から送信されてくる気象情報、および輸送システム２０から送信されてくる情報を受信したり、各種の指令を個々の水素製造設備１０、個々の水素需要設備３０、および輸送システム２０へ送信したりする機能を備えている。
【００４１】
制御装置４５は、水素供給管理装置４０全体の動作を司るものである。例えば、制御装置４５は、演算装置４１を用いて通信装置４４により受信される個々の情報から翌日の各水素製造設備が製造する水素の予想製造量と翌日の各水素需要設備が使用する水素の予想使用量とを演算させたり、演算装置４１の演算結果を用いて翌日の水素の輸送経路を決定し、決定した輸送経路を指示する指令を通信装置４４経由で輸送システム２０へ送信したり、演算装置４１の演算結果に基づく各種の情報を表示制御装置４３により表示装置４２の１つの画面上にまとめて表示させたり、表示装置４２に表示された項目に対してオペレータが設定もしくは変更する翌日の水素の輸送経路を指示する指令を通信装置４４経由で輸送システム２０へ送信したり、水素の製造量・供給量に関する指令を通信装置４４経由で個々の水素製造設備１０へ送信したり、水素の使用量に関する指令を通信装置４４経由で個々の水素需要設備３０へ送信したりする機能を備えている。
【００４２】
［画面表示の具体例］
次に、図２を参照して、表示制御装置４３が表示装置４２に表示させる表示画面の一例について説明する。
【００４３】
この表示画面の例では、個々の水素製造設備１０に関する情報と、個々の水素需要設備３０に関する情報と、個々の水素製造設備１０と個々の水素需要設備３０とを繋ぐ水素の輸送経路を示す情報とが、１つの画面の中にまとめて同時に表示される。
【００４４】
個々の水素製造設備１０に関する情報は、名称（Ａ〜Ｆなど）、所在地（○○町◆◆、○○町□□…など）、種別（風力、太陽光、小水力など）、定格出力（○○Ｗなど）、本日の水素製造量（○○Ｎｍ３など）、および明日の水素予想製造量（○○Ｎｍ３など）を含む。
【００４５】
一方、個々の水素需要設備３０に関する情報は、名称（△工場、▽ビル…など）、所在地（○○町◆◆、○○町□□…など）、定格出力（○○Ｗなど）、本日の水素使用量（○○Ｎｍ３など）、および明日の水素予想使用量（○○Ｎｍ３など）を含む。
【００４６】
水素の輸送経路を示す情報としては、例えば、各水素製造設備と各水素需要設備とを個別に繋ぐパスが表示され、更に当該パスの上には輸送の識別番号（例えば輸送車両の番号）１〜９が表示される。本日の輸送経路を表示させるほか、翌日の予定されている輸送経路を併せて色違いで表示させるようにしてもよい。オペレータは、表示される本日の輸送経路もしくは翌日の輸送経路に対し、ドラッグ操作等を行うことにより設定もしくはその変更を行うことができる。
【００４７】
本実施形態によれば、オペレータは図２のように表示される画面を閲覧することにより、各水素製造設備と各水素需要設備との間の水素の需要・供給の関係を一目で把握することができる。その場合、本日における水素の需要・供給の関係のみならず、翌日における水素の需要・供給の関係も併せて把握することができ、需要・供給の関係の変化や傾向を把握することができる。更には、各水素製造設備と各水素需要設備とを繋ぐ水素の輸送経路も併せて把握することができる。そのため、オペレータは、水素サプライチェーン全体の運行状況を一目で把握することができ、翌日以降における水素の運行計画をも一目で把握することができる。
【００４８】
また、オペレータは、表示される本日の輸送経路もしくは翌日の輸送経路に対してドラッグ操作等を行うことにより設定もしくはその変更を行うことができるので、何らかの理由で水素の供給量もしくは使用量が予想に反して変化するような場合には、手動で水素の輸送計画を適宜変更することが可能となる。
【００４９】
なお、水素製造設備１０は、系統電力を用いて、水または炭化水素から水素を製造する設備であってもよい。
【００５０】
また、輸送システム２０を使わず、水素製造設備１０により製造された水素を水素需要設備３０へ水素配管で供給するものであってもよい。  以上詳述したように、実施形態によれば、各水素製造設備と各水素需要設備との間の水素の需要・供給の関係を容易に把握することができる。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１０…水素製造設備、２０…輸送システム、３０…水素需要設備、４０…水素供給管理装置。
【図１】
2017022135.tif 000003
【図２】
2017022135.tif 000004
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
水または炭化水素から水素を製造する少なくとも１つの水素製造設備と、前記水素製造設備により製造される水素を輸送する少なくとも１つの輸送車両と、前記輸送車両により輸送される水素を利用する少なくとも１つの水素需要設備とを含むシステムに適用される水素供給管理装置であって、
翌日の各水素製造設備が製造する水素の予想製造量と、翌日の各水素需要設備が使用する水素の予想使用量とを演算する演算手段と、
前記演算手段の演算結果を用いて、少なくとも、翌日の各水素製造設備が製造する水素の予想製造量と、翌日の各水素需要設備が使用する水素の予想使用量と、各水素製造設備と各水素需要設備とを繋ぐ水素の輸送経路を示す情報とを、表示装置の画面上に表示させる表示制御手段と
を具備することを特徴とする水素供給管理装置。
【請求項２】
水または炭化水素から水素を製造する少なくとも１つの水素製造設備と、前記水素製造設備により製造される水素を輸送する少なくとも１つの輸送車両と、前記輸送車両により輸送される水素を利用する少なくとも１つの水素需要設備とを含むシステムに適用される水素供給管理装置であって、
少なくとも、各水素製造設備が製造する水素の製造量と、各水素需要設備が使用する水素の使用量とを、表示装置の画面上に表示させる表示制御手段を具備することを特徴とする水素供給管理装置。
【請求項３】
前記表示制御手段は、前記画面上に、本日の各水素製造設備が製造する水素の製造量と、本日の各水素需要設備が使用する水素の使用量を、更に表示させることを特徴とする請求項１に記載の水素供給管理装置。
【請求項４】
前記表示制御手段は、前記画面上に、各水素製造設備と各水素需要設備とを繋ぐ水素の輸送経路の設定もしくは変更を可能とする項目を、更に表示させることを特徴とする請求項１に記載の水素供給管理装置。
【請求項５】
前記演算手段は、少なくともある地域の気象を示す気象情報を、各水素需要設備における電気もしくは熱の需要を示す情報とを用いて、翌日の各水素製造設備が製造する水素の予想製造量と、翌日の各水素需要設備が使用する水素の予想使用量とを演算することを特徴とする請求項１記載の水素供給管理装置。
【請求項６】
水または炭化水素から水素を製造する少なくとも１つの水素製造設備と、前記水素製造設備により製造される水素を輸送する少なくとも１つの輸送車両と、前記輸送車両により輸送される水素を利用する少なくとも１つの水素需要設備とを含むシステムに適用される水素供給管理方法であって、
演算手段により、翌日の各水素製造設備が製造する水素の予想製造量と、翌日の各水素需要設備が使用する水素の予想使用量とを演算し、
表示制御手段により、前記演算手段の演算結果を用いて、少なくとも、翌日の各水素製造設備が製造する水素の予想製造量と、翌日の各水素需要設備が使用する水素の予想使用量と、各水素製造設備と各水素需要設備とを繋ぐ水素の輸送経路を示す情報とを、表示装置の画面上に表示させる
ことを特徴とする水素供給管理方法。
【請求項７】
水または炭化水素から水素を製造する少なくとも１つの水素製造設備と、水素を利用する少なくとも１つの水素需要設備と、前記水素製造設備により製造される水素を前記水素需要設備に供給する水素配管とを含むシステムに適用される水素供給管理装置であって、
少なくとも、各水素製造設備が製造する水素の製造量と、各水素需要設備が使用する水素の使用量と、各水素製造設備と各水素需要設備とを繋ぐ水素の輸送経路を示す情報とを、表示装置の画面上に表示させる表示制御手段を具備することを特徴とする水素供給管理装置。
【手続補正２】
【補正対象書類名】明細書
【補正対象項目名】０００６
【補正方法】変更
【補正の内容】
【０００６】
実施形態の水素供給管理装置は、水または炭化水素から水素を製造する少なくとも１つの水素製造設備と、前記水素製造設備により製造される水素を輸送する少なくとも１つの輸送車両と、前記輸送車両により輸送される水素を利用する少なくとも１つの水素需要設備とを含むシステムに適用される水素供給管理装置であって、翌日の各水素製造設備が製造する水素の予想製造量と、翌日の各水素需要設備が使用する水素の予想使用量とを演算する演算手段と、前記演算手段の演算結果を用いて、少なくとも、翌日の各水素製造設備が製造する水素の予想製造量と、翌日の各水素需要設備が使用する水素の予想使用量と、各水素製造設備と各水素需要設備とを繋ぐ水素の輸送経路を示す情報とを、表示装置の画面上に表示させる表示制御手段とを具備する。
【国際調査報告】
2017022135.tif 000005
2017022135.tif 000006
2017022135.tif 000007
2017022135.tif 000008